(57)【要約】【課題】  階段に取り付けられる見切り材であって、見切り材を取り付けるための釘が目立たず、取り付けが容易な見切り材を提供する。【解決手段】  断面略Ｌ字で外側が面材の交差する見切り部分に当接して固定具で固定される長尺の見切り材本体１と、見切り材本体１の内側に係合され見切り材本体を被装する化粧部材２と、を有してなる見切り材であって、見切り材本体１の内側の立面３及び平面４にそれぞれ断面のこぎり歯形状の被係合部５を長手方向に延設し、化粧部材２の見切り材本体の内側の立面３及び平面４に対向する面に見切り材本体１の被係合部５に係合する断面のこぎり歯形状の係合部６を長手方向に延設するとともに、見切り材本体１と化粧部材２との間に接着剤を介在させて被係合部５と係合部６とを係合させることを特徴とする見切り材である。【選択図】図２
2006177069.tif 000002
【特許請求の範囲】
【請求項１】
断面略Ｌ字で外側が面材の交差する見切り部分に当接して固定具で固定される長尺の見切り材本体と、見切り材本体の内側に係合され見切り材本体を被装する化粧部材と、を有してなる見切り材であって、見切り材本体の内側の立面及び平面にそれぞれ断面のこぎり歯形状の被係合部を長手方向に延設し、化粧部材の見切り材本体の内側の立面及び平面に対向する面に見切り材本体の被係合部に係合する断面のこぎり歯形状の係合部を長手方向に延設するとともに、見切り材本体と化粧部材との間に接着剤を介在させて被係合部と係合部とを係合させることを特徴とする見切り材。
【請求項２】
化粧部材は、見切り部分を構成する面材に対向させる隠し面を備えたことを特徴とする請求項１記載の見切り材。
【請求項３】
請求項１又は２記載の見切り材の階段への取付構造であって、見切り材本体を該見切り材の外面を階段と壁面もしくは階段と側板により形成される見切り部分に当接し、固定具で固定し、接着剤を見切り材本体及び化粧部材の少なくともどちらか一方に塗布し、化粧部材が見切り材本体を被装するように設けたことを特徴とする見切り材の階段への取付構造。
【発明の詳細な説明】
【技術分野】
【０００１】
本願発明は、階段に取り付けられる見切り材とその取付構造に関する。
【背景技術】
【０００２】
従来から、住宅などにおける階段の取付構造としては、踏板と踏込板の横方向の端部に、一対のササラ加工を施した階段巾板により化粧を行うことが一般的であった。しかしながら、一枚の板材をササラ加工するのはきわめて難しく、熟練を要した。
【０００３】
この問題を解決するため、図３に示すごとく、特開平０８−２１０５４号公報には、略Ｌ字の板材を二分割した階段巾木２０を、踏板１７と蹴込板２１で形成される見切り部分に接着剤を用いて貼り付けて化粧する方法が開示されている。しかしながら、この方法は階段巾木２０を接着剤を用いて固定するため位置決めが行いにくく、又、階段巾木２０から接着剤がはみ出ないように接着剤の塗布量や塗布面積などについて配慮する必要があった。一方、この階段巾木２０を接着剤を用いず、位置決めをした後に固定具１５で固定すると、固定具１５が表側から見えてしまうために見栄えが劣ってしまうこととなった。
【特許文献１】特開平０８−２１０５４号公報
【発明の開示】
【発明が解決しようとする課題】
【０００４】
本願発明は、上記背景技術に鑑みて発明されたものであり、その課題は、階段の見切り部分に取り付けられる見切り材であって、見切り材を取り付けるための釘が目立たず、容易に見切り部分に取り付けることができる見切り材を提供することである。
【課題を解決するための手段】
【０００５】
上記課題を解決するために、本願発明は、断面略Ｌ字で外側が面材の交差する見切り部分に当接して固定具で固定される長尺の見切り材本体と、見切り材本体の内側に係合され見切り材本体を被装する化粧部材と、を有してなる見切り材であって、見切り材本体の内側の立面及び平面にそれぞれ断面のこぎり歯形状の被係合部を長手方向に延設し、化粧部材の見切り材本体の内側の立面及び平面に対向する面に見切り材本体の被係合部に係合する断面のこぎり歯形状の係合部を長手方向に延設するとともに、見切り材本体と化粧部材との間に接着剤を介在させて被係合部と係合部とを係合させることを特徴とする見切り材を用いている。
【発明の効果】
【０００６】
本願発明の見切り材においては、見切り材本体を固定具で固定するため位置決めがしやすく、又、見切り材本体を化粧部材が被装するために固定具が外部から見えなくなるので見栄えがよい。又、見切り材本体と化粧部材とは接着剤を介在させて被係合部と係合部とを係合させているため、施工が容易で、化粧部材が見切り材本体から外れにくい。
【発明を実施するための最良の形態】
【０００７】
図１は、本願の請求項１及び２の発明に対応した実施形態である見切り材を示している。この実施形態の見切り材は、図１に示す如く、断面略Ｌ字で外側が面材の交差する見切り部分に当接して固定具で固定される長尺の見切り材本体１と、見切り材本体１の内側に係合され見切り材本体１を被装する化粧部材２と、を有してなる見切り材であって、見切り材本体１の内側の立面３及び平面４にそれぞれ断面のこぎり歯形状の被係合部５を長手方向に延設し、化粧部材２の見切り材本体の内側の立面３及び平面４に対向する面に見切り材本体１の被係合部５に係合する断面のこぎり歯形状の係合部６を長手方向に延設するとともに、見切り材本体１と化粧部材２との間に接着剤を介在させて被係合部５と係合部６とを係合させる。
【０００８】
又、化粧部材２は、見切り部分を構成する面材に対向させる隠し面７を備えている。
【０００９】
以下、この実施形態の見切り材を、より具体的詳細に説明する。この実施形態の見切り材では、それぞれ長尺で合成樹脂製の見切り材本体１と化粧部材２から構成される。見切り材本体１は断面略Ｌ字であり、外側が面材の交差する見切り部分に当接され、固定具で固定される。又、見切り材本体１の内側の立面３及び平面４にはそれぞれ、断面のこぎり歯形状の被係合部５が長手方向に延設されている。この場合、被係合部５は内側の立面３及び平面４の中央よりもＬ字コーナー側に配置されており、被係合部５として、それぞれ断面略三角形の凸部８を連続して３つ設けている。又、立面３及び平面４に設けた凸部８のＬ字コーナー側の面はそれぞれ、凸部８が設けられた面に対して略垂直に形成されている。
【００１０】
化粧部材２は、見切り材本体１の内側に係合され見切り材本体１を被装する。化粧部材２の見切り材本体１の内側の立面３及び平面４に対向する面にそれぞれ、係合部６を長手方向に延設している。係合部６は、被係合部５に対応させて、断面略三角形の凹部９を連続して３つ設けており、立面３及び平面４に設けた凹部９のＬ字コーナー側の面はそれぞれ、凹部９が設けられた面に対して略垂直に形成されている。
【００１１】
見切り材本体１と化粧部材２とは、見切り材本体１と化粧部材２との間に接着剤を介在させて被係合部５と係合部６とを係合させると、断面略三角形の長尺形状となり、被係合部５の凸部８と係合部６の凹部９の略垂直な面が互いに引っかかることで固定される。この場合、化粧部材４の端部には、隠し面７に対して垂直な切り欠き部１０が設けられている（図１（ｂ））。
【００１２】
従って、この実施形態の見切り材においては、化粧部材２が見切り材本体１を被装するため、見切り材本体１を固定するために用いた固定具が、外から見えなくなる。又、見切り材本体１と化粧部材２にそれぞれ、被係合部５と係合部６とを設けて係合させているため、接着剤を塗布して押着することで、見切り材本体１と化粧部材２とが係合され、その間に接着剤が硬化することで固定されるため、施工が容易である。
【００１３】
又、化粧部材２に隠し面７を設けているために、見切り材本体１と化粧部材２とを接着したときの接着剤のはみ出た部分が見えなくなるため、接着剤の塗布量に気を配らなくても、見栄えよく仕上がる。
【００１４】
次に、前述見切り材の階段への取付構造を説明する。図２は、本願の請求項３の発明に対応した実施形態である見切り材の階段への取付構造を示している。この実施形態の見切り材の階段への取付構造は、図２に階段の踏板部分に関して拡大して示す如く、請求項１又は２記載の見切り材の階段への取付構造であって、見切り材本体１を該見切り材１の外面を階段１１と壁面１２もしくは階段１１と側板１３により形成される見切り部分１４に当接し、固定具１５で固定し、接着剤を見切り材本体１及び化粧部材２の少なくともどちらか一方に塗布し、化粧部材２が見切り材本体１を被装するように設けている。
【００１５】
以下、この実施形態の見切り材の階段への取付構造を、より具体的詳細に説明する。まず、階段１１の踏板１７と壁面１２で形成される見切り部分に、前述見切り材を取り付けた場合を説明する。この実施形態の見切り材の取付構造では、合成樹脂製で長尺に成形された見切り材本体１及び化粧部部材２を、見切り部分の長さに合わせて切断する。壁面１２に設けた桁１６に踏板１７を上載し、壁面１２と踏板１７で形成される見切り部分に、見切り材本体１を当接する。該見切り材本体１の内側の立面３及び平面４の被係合部５よりＬ字コーナーとは反対側、すなわち外側に固定具１５を用いて固定する。この場合、固定具１５として釘を用い、長手方向に一定の間隔をあけて打ち込んでいる。
【００１６】
続いて、接着剤を見切り材本体１の内側の立面３と平面４及び上端面１８と前端面１９とそれに対向する化粧部材２の面に塗布し、見切り材本体１と化粧部材２を被係合部５と係合部６を対向して配置して、Ｘ方向に押し込み係合させる。
【００１７】
なお、見切り材本体１を固定する固定具１５は釘に限らず、ねじやステープラー針のように、建築用の固定具１５として一般的なものを用いればよい。又、この実施例では、見切り材本体１及び化粧部材２の双方に接着剤を塗布しているが、接着強度が十分であれば、接着剤はどちらか一方側だけに塗布しても、又、いずれか一面のみに塗布してもよい。ただし、化粧部材２の隠し面７には接着剤を塗布しない。
【００１８】
なお、蹴込板と壁面１２で形成される見切り部分についても、階段１１の踏板１７と壁面１２で形成される見切り部分と同様に見切り材を取り付ける。
【００１９】
従って、この実施形態の見切り材の階段への取付構造においては、見切り材本体１を固定具１５を用いて固定するため、見切り材本体１の位置を合わせた後に固定でき、見切り材を正確な位置に設置できる。又、見切り材本体１全体を化粧部材２が被装するために固定具１５が外部から見えなくなるので見栄えを損なうことがない。又、見切り材本体１と化粧部材２とは接着剤を介在させて被係合部５と係合部６とを係合させているため、見切り材本体１と化粧部材２とが接着剤で接着されるとともに被係合部５と係合部６で係合され、化粧部材２が見切り材本体１から浮き上がることなくしっかりと固定される。従って、接着剤が硬化するまで見切り材本体１と化粧部材１とがずれないように、固定しておく必要がない。
【００２０】
又、化粧部材２に隠し面７を設けているために、見切り材本体１と化粧部材２とを接着したときの接着剤のはみ出た部分が外から見えず、見栄えがよい。従って、見切り材を施工するときに、見切り材近傍の壁面などをマスキングしたり、はみ出してしまった接着剤をふき取ったりする必要もなく、施工が容易で、かつ、見栄えよく仕上がる。
【００２１】
又、見切り材の階段への施工時には、施工現場で見切り材本体１と化粧部材２を踏板１７の巾及び蹴込板１９の高さに合わせて切断し取り付けるため、階段１１の形状に合わせて個別に見切り材を設計しなくてもよく、あらゆる階段の見切り材として対応でき、又、見切り材の取り付けに高度な技術を要しない。
【図面の簡単な説明】
【００２２】
【図１】本願発明の実施形態である見切り材を示し、（ａ）は見切り材本体及び化粧部材の断面図、（ｂ）は見切り材本体と化粧部材とを係合したときの断面図である。
【図２】本願発明の実施形態である見切り材の階段への取付構造を示す要部断面図である。
【図３】従来例である階段巾木の階段への取付構造を示す要部斜視図である。
【符号の説明】
【００２３】
１    見切り材本体
２    化粧部材
３    立面
４    平面
５    被係合部
６    係合部
７    隠し面
８    凸部
９    凹部
１０  切り欠き部
１１  階段
１２  壁面
１３  側板
１４  見切り部分
１５  固定具
１６  桁
１７  踏板
１８  上端面
１９  前端面
２０  階段巾木
２１  蹴込板
【図１】
2006177069.tif 000003
【図２】
2006177069.tif 000004
【図３】
2006177069.tif 000005